(57)【特許請求の範囲】
【請求項１】
床暖房用マットの内部に張り巡らされた熱伝導用の液体を流すための配管が床材を前記床暖房用マット上に固定するための導電性の固定部材によって損傷を受けたか否かを検査する床暖房用マット施工異常検査装置において、
前記床暖房用マットの表面のうち少なくとも前記配管の直上部分に予め積層された導電性シートと前記配管内の液体との間の静電容量の大きさを基にして、前記固定部材が前記配管を貫通して前記液体と接触しているか否かおよび前記固定部材が貫通に至らない損傷を前記配管に与えるほど前記液体と近接した箇所に打ち込まれているか否かを判別する損傷有無判別手段を具備し、
前記損傷有無判別手段は、床暖房用マット上に床材を固定する前の静電容量と床材を固定した後の静電容量との差を基にして前記床材を固定する際に前記固定部材が前記配管を貫通して前記液体と接触しているか否かおよび前記固定部材が貫通に至らない損傷を前記配管に与えるほど前記液体と近接した箇所に打ち込まれているか否かを検査することを特徴とする床暖房用マット施工異常検査装置。
【請求項２】
請求項１記載の床暖房用マット施工異常検査装置と組み合わされる床暖房装置において、
前記床暖房用マット施工異常検査装置から前記配管に損傷の無い旨を表した検査合格信号を受けとるまでの間、前記床暖房用マットに前記液体を加熱して循環供給する暖房動作を禁止する暖房動作禁止手段を具備することを特徴とする床暖房装置。
【請求項３】
前記床暖房装置は遠隔操作のためのリモコン操作部を備え、前記床暖房用マット施工異常検査装置は前記リモコン操作部を介して前記床暖房装置に接続されることを特徴とする請求項２記載の床暖房装置。
【請求項４】
前記床暖房装置は前記検査合格信号を受け取り済みか否かを記憶するための記憶手段を備え、当該記憶手段の記憶内容を基にして前記暖房動作を禁止すべきか否かを判別することを特徴とする請求項２または３記載の床暖房装置。
【請求項５】
前記床暖房用マット施工異常検査装置からの指示に基づいて前記床暖房用マットの検査を補助するための検査補助動作を行うことを特徴とする請求項２、３または４記載の床暖房装置。
【請求項６】
前記検査合格信号は、雑音または検査結果を偽るための疑似信号との誤認防止用に所定の識別情報を含むことを特徴とする請求項２、３、４または５記載の床暖房装置。
【発明の詳細な説明】
【０００１】
【発明の属する技術分野】
本発明は、床暖房用マットの内部に張り巡らされた熱伝導用の液体を流すための配管が床材を床暖房用マット上に固定するための導電性の固定部材によって損傷を受けたか否かを検査する床暖房用マット施工異常検査方法および検査装置並びに床暖房装置に関する。
【０００２】
【従来の技術】
一般に、床暖房用マットの内部には、温水などの熱媒体を循環させるための配管が張り巡らされている。このような床暖房用マットを家屋等に床面下に設置する際には、通常、下地合板の上に床暖房用マットを敷設し、その上にフローリング材等の床材を釘等で固定して仕上げるようになっている。
【０００３】
床材を釘で固定する作業は、目視によって配管のない箇所を確認しながら行うが、誤って配管に損傷を与えてしまうことがある。また配管に釘が刺さったままの状態ではすぐに温水が漏れないので損傷を与えた事自体に作業者が気付かない場合もある。このため、床材を固定用の釘が床暖房用マット内の配管に損傷を与えているか否かを施工後に検査する検査方法や検査装置が従来から種々提案されている。
【０００４】
特開平５−１８０７２３号公報には、釘が配管を貫通しているか否かを電気的導通の有無によって検査する損傷検出装置が開示されている。この装置では、床暖房用温水マットの表面に導電性シートを積層しておき、当該導電性シートと配管内の温水との間の電気的導通の有無によって、釘が配管を貫通しているか否かを検査するようになっている。
【０００５】
また特開平２−２９３５４２号公報には、配管の内面と外面にそれぞれ導電性層を被覆し、これら導電性層間の導通の有無を基にして、釘が配管を貫通したか否かを検出する技術が開示されている。
【０００６】
【発明が解決しようとする課題】
しかしながら、このような従来の技術では、電気導通の有無を基準に判別するので、釘が配管を完全に貫通したことは検出できるが、たとえば、配管の中心から僅かにずれた箇所に打ち込まれた釘によって、配管が傷など貫通に至らない損傷を受けていることを検出できないという問題があった。
【０００７】
本発明は、このような従来の技術が有する問題点に着目してなされたもので、その第１の目的は、床暖房用マット内の配管が床材固定用の釘により損傷を受けているか否かを貫通に至らないような損傷を含めて検査することのできる床暖房用マット施工異常検査方法および検査装置を提供することにあり、第２の目的は、床暖房用マット施工異常検査装置によって行われる検査の手抜きを防止し得る床暖房装置を提供することにある。
【０００８】
【課題を解決するための手段】
かかる目的を達成するための本発明の要旨とするところは、次の各項の発明に存する。
［１］床暖房用マット（１０）の内部に張り巡らされた熱伝導用の液体を流すための配管（１２）が床材（２２）を前記床暖房用マット（１０）上に固定するための導電性の固定部材（２４）によって損傷を受けたか否かを検査する床暖房用マット施工異常検査装置（３０）において、
前記床暖房用マット（１０）の表面のうち少なくとも前記配管（１２）の直上部分に予め積層された導電性シート（１８）と前記配管（１２）内の液体との間の静電容量の大きさを基にして前記固定部材（２４）が前記配管（１２）を貫通して前記液体と接触しているか否かおよび前記固定部材（２４）が貫通に至らない損傷を前記配管（１２）に与えるほど前記液体と近接した箇所に打ち込まれているか否かを判別する損傷有無判別手段（４４、４８）を具備し、
前記損傷有無判別手段（４４、４８）は、床暖房用マット（１０）上に床材（２２）を固定する前の静電容量と床材（２２）を固定した後の静電容量との差を基にして前記床材（２２）を固定する際に前記固定部材（２４）が前記配管（１２）を貫通して前記液体と接触しているか否かおよび前記固定部材（２４）が貫通に至らない損傷を前記配管（１２）に与えるほど前記液体と近接した箇所に打ち込まれているか否かを検査することを特徴とする床暖房用マット施工異常検査装置（３０）。
【００１１】
［２］［１］記載の床暖房用マット施工異常検査装置（３０）と組み合わされる床暖房装置（１００）において、
前記床暖房用マット施工異常検査装置（３０）から前記配管（１２）に損傷の無い旨を表した検査合格信号（４８）を受けとるまでの間、前記床暖房用マット（１０）に前記液体を加熱して循環供給する暖房動作を禁止する暖房動作禁止手段（１１０）を具備することを特徴とする床暖房装置（１００）。
【００１２】
［３］前記床暖房装置（１００）は遠隔操作のためのリモコン操作部（１２０）を備え、前記床暖房用マット施工異常検査装置（３０）は前記リモコン操作部（１２０）を介して前記床暖房装置（１００）に接続されることを特徴とする［２］記載の床暖房装置（１００）。
【００１３】
［４］前記床暖房装置（１００）は前記検査合格信号（４８）を受け取り済みか否かを記憶するための記憶手段（１１３）を備え、当該記憶手段（１１３）の記憶内容を基にして前記暖房動作を禁止すべきか否かを判別することを特徴とする［２］または［３］記載の床暖房装置（１００）。
【００１４】
［５］前記床暖房用マット施工異常検査装置（３０）からの指示に基づいて前記床暖房用マット（１０）の検査を補助するための検査補助動作を行うことを特徴とする［２］、［３］または［４］記載の床暖房装置（１００）。
【００１５】
［６］前記検査合格信号（４８）は、雑音または検査結果を偽るための疑似信号との誤認防止用に所定の識別情報を含むことを特徴とする［２］、［３］、［４］または［５］記載の床暖房装置（１００）。
【００１６】
前記本発明は次のように作用する。
床暖房用マット（１０）の表面のうち少なくとも配管（１２）の直上部分に導電性シート（１８）を予め積層しておき、配管（１２）内の液体との間の静電容量の大きさを基にして釘など導電性を有する固定部材が配管（１２）を貫通して配管（１２）内の液体と接触しているか否かおよび釘等が貫通に至らない損傷を配管（１２）に与えるほど配管（１２）内の液体と近接した箇所に打ち込まれているか否かを検査する。
【００１７】
すなわち、床材（２２）を固定するための釘が配管（１２）を貫通している場合は、導電性シート（１８）と配管（１２）内の液体の間が導通状態になるので、導電性シート（１８）と液体間の静電容量は大きく変化する。また配管（１２）内の液体と釘が直接接触しないが極めて近接している場合には静電容量がある程度変化するので、これを基にして打ち込んだ釘が貫通に至らない傷等の損傷を配管（１２）に与えた可能性があるか否かを判別する。
【００１８】
また、床暖房用マット（１０）上に床材（２２）を固定する前の静電容量と床材（２２）を固定した後の静電容量との差を基にすることで、わずかな静電容量の変化を検出でき、導電性を有する釘等の固定部材が貫通に至らない損傷を配管（１２）に与えたか否かをより精度良く検査することができる。
【００１９】
さらに、上記床暖房用マット施工異常検査装置（３０）と組み合わされる床暖房装置（１００）に暖房動作禁止手段（１１０）を設け、床暖房用マット施工異常検査装置（３０）から配管（１２）に損傷の無い旨を表した検査合格信号（４８）を受けとるまでの間、床暖房用マット（１０）に液体を加熱して循環供給する暖房動作を禁止する。これにより施工異常のある床暖房用マット（１０）がそのまま放置される等の手抜き工事を防止することができる。
【００２０】
また床暖房用マット施工異常検査装置（３０）を床暖房装置（１００）の有するリモコン操作部（１２０）を介して接続する。通常、リモコン操作部（１２０）は、床暖房用マット（１０）の敷設される箇所の近傍に配置されるので、床暖房用マット施工異常検査装置（３０）の接続が容易となる検査作業を円滑に進めることができる。
【００２１】
さらに、床暖房装置（１００）に、検査合格信号（４８）を受け取り済みか否かを記憶するための不揮発性メモリ（１１３）を設け、当該不揮発性メモリ（１１３）の記憶内容を基にして暖房動作を禁止すべきか否かを判別する。これにより、床暖房装置（１００）の電源が断となった場合でも検査結果を保持することができ、停電等にも適切に対応することができる。
【００２２】
また、床暖房用マット施工異常検査装置（３０）からの指示に基づいて床暖房用マット（１０）の検査を補助するための検査補助動作を行う機能を床暖房装置（１００）に具備させる。たとえば、床暖房用マット施工異常検査装置（３０）から給水の指示を受けたとき、配管（１２）内へ検査用の温水を床暖房装置（１００）側から供給するようにする。これにより床暖房用マット（１０）へ検査用の温水を送り込む装置を別途設ける必要がなくなり、検査作業を迅速かつ円滑に行うことができる。
【００２３】
さらに、検査合格信号（４８）を、検査結果を偽るための疑似信号や雑音と誤認することのないようコード情報等の識別情報を含む形式にする。これにより、検査結果を偽る等の手抜き工事をより確実に防止することができる。
【００２４】
【発明の実施の形態】
以下、図面に基づき本発明の一の実施の形態を説明する。
各図は本発明の一実施の形態を示している。
図２に示すように、床暖房用マット１０は、その内部に温水等の熱媒体を通すための架橋ポリエチレンパイプからなる配管１２が蛇行しながら一巡するように張り巡らされている。また、配管１２の合間を縫って小根太１４が内装されている。フローリング材等の床材を床暖房用マット１０上に固定するための釘は小根太１４の存在する箇所に本来、打ち込まれるようになっている。
【００２５】
床暖房用マット１０の端部には、内部の配管１２へ温水を送り込むための注入口と、配管１２を一巡した温水を排出するための排出口とを備えたヘッダ部１６が有り、当該ヘッダ部１６を介して床暖房用マット１０とこれに温水を供給する図示しない床暖房装置とは接続される。
【００２６】
図１は、本発明の一実施の形態にかかる床暖房用マット施工異常検査装置３０を床暖房用マット１０に接続した様子を模式的に表したものである。図１では、床暖房用マット１０の配管１２と平行な向きにおける縦断面を示している。床暖房用マット１０を床面に取り付ける際には、まず下地合板２１の上に床暖房用マット１０を広げて敷き込み、その上にフローリング材等の床材２２を敷設し、床材２２のつなぎ目部分に釘２４等の固定部材を下地合板２１に至るまで打ち込むことで固定するようになっている。
【００２７】
床暖房用マット１０は、発泡ポリエチレン等から成る基材シート１６の内部に配管１２を張り巡らすとともに、アルミニウム箔から成る導電性シート１８を床暖房用マット１０の表面全面に積層した構造になっている。床暖房用マット１０の厚みは約１２ミリであり、配管１２は外径が７．２ミリ、内径が５ミリになっている。
【００２８】
床暖房用マット施工異常検査装置３０は、導電性シート１８と配管１２内部の温水との間の静電容量を検出し、その大きさを基にして釘２４が配管１２を貫通して打ち込まれているか否かおよび、釘２４が傷等の損傷を与えるほど配管１２の近傍に打ち込まれているか否かを検出する検査装置である。床暖房用マット施工異常検査装置３０から延びる検査用信号線３２は、床暖房用マット１０の表面に積層された導電性シート１８と、配管１２内の温水と接触しているヘッダ部１６の金属部分と接続されている。
【００２９】
図３は、図１に示した床暖房用マット施工異常検査装置３０の回路構成を示したものである。床暖房用マット施工異常検査装置３０は、検査動作を統括して制御する検査処理統括制御部４１を備えており、検査処理統括制御部４１には、検査の開始や停止、および各種の設定操作を行うためのスイッチ類の配された操作部４２と、検査結果等を表示するための表示部４３が接続されている。ここでは表示部４３として液晶ディスプレイを用いている。
【００３０】
また床暖房用マット施工異常検査装置３０は、導電性シート１８と配管１２内の温水との間の静電容量を検出する静電容量検出部４４と、釘２４を打ち込む前の状態における導電性シート１８と配管１２内の温水との間の静電容量（基準容量）の大きさを記憶するための基準容量記憶部４５とを備えている。比較判定部４６は、基準容量記憶部４５に記憶されている基準容量と静電容量検出部４４の検出した静電容量とを比較し、その差から釘２４が配管１２を貫通しているか、あるいは配管１２の極めて近傍に打ち込まれているか等の施工異常の有無を判定する回路部分である。
【００３１】
検査処理統括制御部４１からは、温水の供給元である床暖房装置に検査の補助動作を指示する検査補助動作指示信号４７が、また比較判定部４６からは検査結果を表した検査結果信号４８がそれぞれ出力される。また静電容量検出部４４からは静電容量を計測するための検査用信号線３２が出ている。なお、検査処理統括制御部４１、基準容量記憶部４５、比較判定部４６等はＣＰＵ（中央処理装置）、ＲＯＭ（リード・オンリ・メモリ）、ＲＡＭ（ランダム・アクセス・メモリ）を主要部とする回路から構成されている。
【００３２】
静電容量検出部４４による静電容量の測定は、各種の既知の測定法により行われる。たとえば、インダクタンスコイルと校正されている可変コンデンサとの共振を利用した共振法や、サセプタンス変化法、ブリッジ法等により測定する。本実施の形態では、特に高精度での静電容量の測定に適したブリッジ法を用いている。
【００３３】
図４は、静電容量検出部４４で用いるブリッジ法における測定原理を示す回路図である。図４では、コンデンサ５１が導電性シート１８と配管１２内の温水との間の静電容量に相当し、ホイートストーンブリッジの平衡条件から導電性シート１８と配管１２内の温水との間の静電容量Ｃｘと抵抗成分Ｇｘはそれぞれ次式から得ることができる。
【００３４】
Ｃｘ＝Ｃｓ（Ｒ１／Ｒ２）        （１）
Ｇｘ＝Ｇｓ（Ｒ１／Ｒ２）        （２）
この条件式は、ブリッジが平衡した際に得られる。発信器５２によって特定の周波数を供給し、電圧計５３がゼロボルトになったときのＣｓの値を（１）式等に代入することで導電性シート１８と配管１２内の温水との間の静電容量（Ｃｘ）が計測される。
【００３５】
次に作用を説明する。
床暖房用マット１０を下地合板２１上に敷き詰めた後、配管１２内に温水を通し、釘を打ち込む前の状態における導電性シート１８と配管１２内の温水との間の静電容量（基準容量）を測定する。基準容量は、基準容量記憶部４５に記憶される。なお、床暖房用マット１０を工場から出荷する際に予め測定した基準容量の値を床暖房用マット１０に添付しておき、当該基準容量の値を操作部４２を通じて床暖房用マット施工異常検査装置３０の基準容量記憶部４５へ登録するようにしてもよい。
【００３６】
また、工場出荷時に測定した基準容量を表したバーコードを床暖房用マット１０に添付し、バーコードリーダを用いて基準容量の値を床暖房用マット施工異常検査装置３０の基準容量記憶部４５へ登録するようにしてもよい。
【００３７】
このようにして基準容量を基準容量記憶部４５に登録してから、釘２４により床材２２を床暖房用マット１０上に固定する作業を行う。そして、施工終了後に床暖房用マット施工異常検査装置３０を用いて導電性シート１８と配管１２内の温水との間の静電容量を再び測定する。
【００３８】
比較判定部４６は基準容量記憶部４５に記憶されている基準容量と施工後に測定した静電容量との差の大きさを基にして、釘２４が配管１２を貫通しているか、あるいは傷等の損傷を与えるほど配管１２の近傍に釘２４が打ち込まれているかを判定し、検査結果に対応する検査信号を検査用信号線３２から出力するとともに、検査結果を表示部４３上に表示する。
【００３９】
図５は、釘２４の打ち込まれた状態を各種表したものである。下地合板２１は根太２５上に固定されるとともに、下地合板２１の下方には断熱材が配されている。小根太１４の存在する箇所に導電性を有する固定部材としての釘２４ａが打ち込まれた場合には、釘２４ａと配管１２内の温水との間の距離が十分確保されるので、釘２４ａの打ち込みにより導電性シート１８と配管１２内の温水との間の静電容量の大きさはほとんど変化しない。
【００４０】
一方、配管１２を貫通するように打たれた導電性の釘２４ｂは、配管１２内の温水と直接接触するので、導電性シート１８と配管１２内の温水との間が導通状態となり、これらの間の静電容量が比較的大きく変化する。また配管１２を貫通しないが傷を与えるほど釘２４ｃが配管１２の近傍に打たれると、配管１２内の温水と釘２４ｃとが極めて接近するので、電極間距離が狭くなり、導電性シート１８と配管１２内の温水との間の静電容量がある程度増加する。
【００４１】
したがって、導電性シート１８と配管１２内の温水との間の静電容量の大きさを測定することにより、釘２４が配管１２を貫通した場合のみならず、釘２４が配管１２を貫通していないが傷付けるほど近接して打ち込まれたか否かを検出することができる。
【００４２】
次に、床暖房用マット施工異常検査装置３０と組み合わせて用いる床暖房装置本体１００について説明する。
図６は、床暖房用マット１０、床暖房用マット施工異常検査装置３０および床暖房装置本体１００を互いに接続した状態を模式的に示している。床暖房装置本体１００と床暖房用マット１０は、温水の供給と床暖房用マット１０内を一巡した温水の回収を行うための接続用配管１０１で接続されている。床暖房用マット施工異常検査装置３０から延設された検査用信号線３２は床暖房用マット１０の導電性シート１８およびヘッダ部１６に接続され、床暖房用マット施工異常検査装置３０からの検査補助動作指示信号４７および検査結果信号４８は床暖房装置本体１００へ入力されている。
【００４３】
床暖房装置本体１００は、床暖房用マット施工異常検査装置３０からの検査補助動作指示信号４７に基づき床暖房用マット施工異常検査装置３０の行う検査を補助するための各種動作を制御する検査補助部１１０を有している。検査補助部１１０は、検査の補助動作を制御するとともに、床暖房用マット施工異常検査装置３０から施工異常のない旨を表した検査結果信号４８が入力されるまでの間、検査を補助する動作以外に温水を床暖房用マット１０へ供給する通常の暖房動作を禁止するようになっている。
【００４４】
図７は、図６に示した床暖房装置本体１００の概略構成を示している。床暖房装置本体１００は、検査補助動作指示信号４７および検査結果信号４８を伝送するための信号線の接続される検査端子１１１と、検査の補助動作および暖房動作の禁止および当該禁止の解除を行う検査処理制御部１１２と、検査合格を表した検査結果信号４８をすでに床暖房用マット施工異常検査装置３０から受け取ったか否かを記憶するための不揮発性メモリ１１３とを備えている。また床暖房装置本体１００は、床暖房用に水を加熱する図示しない燃焼部の制御を行う燃焼制御部１１４と、加熱された水を床暖房用マット１０へ送るポンプ等から成る循環制御部１１５を備えている。
【００４５】
図８は、床暖房装置本体１００の行う検査補助動作の流れを示している。床暖房用マット施工異常検査装置３０は検査動作を開始すると、まず、床暖房装置本体１００に対して温水の供給開始を指示する検査補助動作指示信号４７を出力する。床暖房装置本体１００は、床暖房用マット施工異常検査装置３０から温水の供給開始指示を受け取ると（ステップＳ３０１；Ｙ）、循環制御部１１５を駆動して床暖房用マット１０への温水の供給を開始する（ステップＳ３０２）。
【００４６】
床暖房用マット１０の配管１２内のすべてに温水の供給が完了すると床暖房装置本体１００は、床暖房用マット施工異常検査装置３０に対して通水完了信号を送る。温水の供給完了は、供給開始後所定時間が経過したか否か、あるいは温水の戻ってくる箇所の温度変化によって判別することができる。
【００４７】
通水完了信号を受けた床暖房用マット施工異常検査装置３０は導電性シート１８と配管１２内の温水との間の静電容量を測定し、測定終了後に床暖房装置本体１００に対して温水の供給停止を指示する検査補助動作指示信号４７を送出する。
【００４８】
床暖房装置本体１００は温水の供給停止指示を受け取ると（ステップＳ３０５；Ｙ）、床暖房用マット１０への温水の供給を停止する（ステップＳ３０６）。床暖房用マット施工異常検査装置３０は検査を終了した際に、その検査結果を表した検査結果信号４８を床暖房装置本体１００へ向けて出力する。検査結果信号４８が到来すると（ステップＳ３０７；Ｙ）、床暖房装置本体１００は、入力された検査結果信号４８が真正な信号か否かを判別する（ステップＳ３０８）。
【００４９】
検査結果信号４８は、予め定められた形式にコード化された誤り検出符号付きのディジタル信号であり、床暖房装置本体１００は当該コード情報が到来したか否かおよびそのコードに付加されている誤り検出符号を基に伝送誤りが発生しているか否か等を調べる。
【００５０】
検査結果信号４８としてこのようなコード情報を用いることにより、作業者が擬似的な信号を入力して検査結果を偽ることや、雑音等により検査結果を誤認することが防止される。
【００５１】
真正な検査結果信号４８であり（ステップＳ３０８；Ｙ）、かつその内容が検査合格を表しているとき（ステップＳ３０９；Ｙ）、検査処理制御部１１２は検査合格済みを示す情報を不揮発性メモリ１１３に登録する（ステップＳ３１０）。検査結果信号４８が検査不合格を示しているときは、検査合格の登録を削除する（ステップＳ３１１）。これにより、一度、不揮発性メモリ１１３に検査合格済みが登録されている場合であっても、最終的な検査で不合格になったときには、検査合格済みの登録が取り消される。
【００５２】
なお、床暖房用マット１０に温水を供給する経路を床暖房装置本体１００が複数回路備えている場合には、各経路ごとに検査の合否が不揮発性メモリ１１３へ登録される。この場合、床暖房用マット施工異常検査装置３０は、温水供給開始指示や、検査結果信号４８に検査対象となる経路の識別番号を付加する。床暖房装置本体１００は受信した信号に付加されている識別番号に対応する経路へ温水の供給を行う。また、床暖房装置本体１００は、合格を示す検査結果信号４８を受けたとき、どの経路が合格したかを識別番号によって識別し、対応する経路について検査合格済みを登録する。
【００５３】
図９は、通常の暖房動作を開始する際における床暖房装置本体１００の動作の流れを示している。リモコン操作部等から床暖房の開始指示を受けると（ステップＳ４０１；Ｙ）、床暖房装置本体１００は、不揮発性メモリ１１３に検査合格済みが登録されているか否かを調べる（ステップＳ４０２）。温水を供給するすべての経路について検査合格済みが登録されているとき（ステップＳ４０２；Ｙ）、床暖房装置本体１００は、燃焼制御部１１４、循環制御部１１５を機能させて床暖房動作を開始する（ステップＳ４０３）。一方、温水を供給すべき経路のうちいずれか１つでも不揮発性メモリ１１３に検査合格済みが登録されていないときは（ステップＳ４０２；Ｎ）、検査の合格が未登録である旨を示す警告をリモコン操作部へ表示するとともに、所定の警告音を鳴らす（ステップＳ４０４）。
【００５４】
このように、検査合格済みが登録されていないときは、通常の床暖房動作を禁止するので、施工時に配管に損傷を与えたか否かの検査を省略したり、また検査結果を偽るような手抜き工事を防止することができる。
【００５５】
次に、床暖房装置本体１００に床暖房用マット施工異常検査装置３０を接続する際の各種態様を示す。図６に示したものでは、床暖房用マット施工異常検査装置３０を床暖房装置本体１００の外部に独立に設け、床暖房用マット施工異常検査装置３０からの信号線を検査補助部１１０に接続するようになっている。これに対して図１０では、床暖房用マット施工異常検査装置３０を床暖房装置本体１００の内部に設けて一体化してある。また図１１では、床暖房装置本体１００の有するリモコン操作部１２０に床暖房用マット施工異常検査装置３０を組み込んである。
【００５６】
図１２では、床暖房用マット施工異常検査装置３０を独立して設け、床暖房装置本体１００と床暖房用マット施工異常検査装置３０とをリモコン操作部１２０を介して接続し、リモコン操作部１２０の内部に検査補助部１１０を配置してある。また図１３では、床暖房用マット施工異常検査装置３０をリモコン操作部１２０を介して接続するとともに、検査補助部１１０を床暖房装置本体１００内に設けてある。
【００５７】
リモコン操作部１２０は、通常、床暖房用マット１０の敷設される部屋の壁等に設置されるので、リモコン操作部１２０に床暖房用マット施工異常検査装置３０を接続したり、リモコン操作部１２０内部に床暖房用マット施工異常検査装置３０を設けることで、信号線の接続作業が簡略化され検査作業の効率を高めることができる。
【００５８】
以上説明した実施の形態では、配管内に温水を通水して検査したが、導電性を有する液体であれば、温水に限られない。また実施の形態では釘等の貫通の有無と、貫通しないが配管に傷つくほど近接して打ち込まれた場合の双方を静電容量の大きさを基に検査するようにしたが、貫通の有無は導通により、近接した打ち込みについては静電容量によって検査するようにしてもよい。
【００５９】
【発明の効果】
本発明にかかる床暖房用マット施工異常検査方法および床暖房用マット施工異常検査装置によれば床暖房用マットの表面に積層した導電性シートと、配管内の温水との間の静電容量の大きさを基にして施工異常を検査するので、釘等の固定部材が配管を貫通しているか否かのみならず、釘等が貫通に至らないような損傷を配管に与えているか否かをも検査することができる。
【００６０】
また床暖房用マット施工異常検査装置と組み合わされる床暖房装置において床暖房用マット施工異常検査装置から検査合格信号を受け取るまでの間、温水を床暖房用マットに供給しないよう通常の暖房動作を禁止したので、施工異常のある床暖房用マットがそのまま放置される等の手抜き工事を有効に防止することができる。
【図面の簡単な説明】
【図１】本発明の一実施の形態に係る床暖房用マット施工異常検査装置を床暖房用マットに適用した様子を模式的に表した説明図である。
【図２】本発明の一実施の形態に係る床暖房用マット施工異常検査装置の検査対象となる床暖房用マットを示す正面図である。
【図３】図１に示した床暖房用マット施工異常検査装置の回路構成を示したブロック図である。
【図４】静電容量の測定に用いるブリッジ法の原理を示す回路図である。
【図５】釘２４の各種打ち込み状態を表した説明図である。
【図６】床暖房用マット、床暖房用マット施工異常検査装置および床暖房装置本体を互いに接続した状態を模式的に示した説明図である。
【図７】図６に示した床暖房装置本体の概略構成を示す説明図である。
【図８】床暖房装置本体の行う検査補助動作の流れを示す流れ図である。
【図９】通常の暖房動作を開始する際に床暖房装置本体の行う動作の流れを示す流れ図である。
【図１０】床暖房装置本体に床暖房用マット施工異常検査装置を接続する際の一態様を示す説明図である。
【図１１】床暖房装置本体に床暖房用マット施工異常検査装置を接続する際の一態様を示す説明図である。
【図１２】床暖房装置本体に床暖房用マット施工異常検査装置を接続する際の一態様を示す説明図である。
【図１３】床暖房装置本体に床暖房用マット施工異常検査装置を接続する際の一態様を示す説明図である。
【符号の説明】
１０…床暖房用マット
１２…配管
１４…小根太
１６…ヘッダ部
１６…基材シート
１８…導電性シート
２１…下地合板
２２…床材
２４…釘
３０…床暖房用マット施工異常検査装置
３２…検査用信号線
４１…検査処理統括制御部
４２…操作部
４３…表示部
４４…静電容量検出部
４５…基準容量記憶部
４６…比較判定部
４７…検査補助動作指示信号
４８…検査結果信号
１００…床暖房装置本体
１０１…接続用配管
１１０…検査補助部
１１１…検査端子
１１２…検査処理制御部
１１３…不揮発性メモリ
１１４…燃焼制御部
１１５…循環制御部
１２０…リモコン操作部
【図１】
0003763933.tif 000002
【図２】
0003763933.tif 000003
【図３】
0003763933.tif 000004
【図４】
0003763933.tif 000005
【図５】
0003763933.tif 000006
【図６】
0003763933.tif 000007
【図７】
0003763933.tif 000008
【図８】
0003763933.tif 000009
【図９】
0003763933.tif 000010
【図１０】
0003763933.tif 000011
【図１１】
0003763933.tif 000012
【図１２】
0003763933.tif 000013
【図１３】
0003763933.tif 000014